(57)【特許請求の範囲】
【請求項１】
一方の面に印刷可能な印刷可能面を有し、この印刷可能面とは反対側の面に粘着剤層が形成された基材シートと、前記粘着剤層に剥離可能に重ねられ、前記基材シートと同じ大きさをなしている剥離シートとからなり、
前記基材シートには、前記剥離シート側を内側として３つ折り可能とする２本の折り線が形成され、
前記基材シートの前記折り線により三つに区分された領域のうち端に位置する１の領域には、その周縁のうち前記折り線を除く少なくとも上下二辺を含む部分について前記基材シートを部分的に除去可能とする周縁部除去用スリット又はミシン目が形成されており、
前記粘着剤層の粘着力は、相互に粘着した場合において剥離困難であり、前記基材シートの印刷可能面に粘着した場合においては剥離可能に設定されていることを特徴とするカード作製用シート。
【請求項２】
前記基材シートの前記折り線により区分された領域のうち前記周縁部除去用スリット又はミシン目が形成されている領域とは反対側の端に位置する領域には、前記折り線に沿って３つ折り状態としたとき前記周縁部除去用スリット又はミシン目により囲まれる領域の内側に位置する窓形成用スリット又はミシン目が形成されていることを特徴とする請求項１に記載のカード作製用シート。
【請求項３】
前記剥離シートには、前記折り線により三つに区分された前記１の領域全体と中央の領域の全体または一部の剥離シートを残りの領域の剥離シートから分断する分断スリット又はミシン目が形成されていることを特徴とする請求項１または請求項２に記載のカード作製用シート。
【請求項４】
前記剥離シートには、前記折り線により三つに区分された中央の領域の周縁のうち前記折り線を除く少なくとも上下の二辺を含む部分の前記剥離シートを部分的に除去してその一部を残存可能な残存用スリット又はミシン目が形成されていることを特徴とする請求項１ないし請求項３のいずれかに記載のカード作製用シート。
【請求項５】
前記基材シートの一部又は全部には、表示された情報を透かし見ることを防止する地紋が印刷されていることを特徴とする請求項１ないし請求項４のいずれかに記載のカード作製用シート。
【発明の詳細な説明】
【技術分野】
【０００１】
本発明は、カード作製用シートに関する。
【背景技術】
【０００２】
従来、カード作製用シートとして特許文献１に記載のものなどが知られている。
【０００３】
このカード作製用シートは、以下のような構成となっている。基材シートは折り目によって２つの領域に等分され、この２つの領域のうち１の領域には配信したい個人情報等（以下、情報などという）が印刷され（以下、情報領域という）、他の領域には端部に強接着剤を塗布することで形成される強接着部と、この強接着部よりも内側の領域に再剥離再貼付可能な粘着剤を塗布することで形成される剥離構造とを備えている。
【０００４】
上記したカード作製用シートは以下のように使用される。まず、情報領域を他の領域に重ねて、貼り合わせ、１枚のカードにする。このとき、情報領域のうち他の領域の強接着部に接している部分は完全接着されているので、配送時などに不用意に開いたりしないようになっている。
【０００５】
次いで、このカードを受け取った者が、他の領域の強接着部よりも内側の領域を切断して開封すると、その内側の領域は再剥離再貼付可能な剥離構造となっているので簡単に開封することができる。
【特許文献１】特開２００４−３４７６６９公報
【発明の開示】
【発明が解決しようとする課題】
【０００６】
しかし、上記したカード作製用シートを製造する際には、強接着剤と再剥離再貼付可能な粘着剤とが必要であり、かつ、それらを部分的に塗布する必要があることから、手間とコストがかかるという問題点があった。
【０００７】
本発明は上記のような事情に基づいて完成されたものであって、低コストで製造できるカード作製用シートを提供することを目的とする。
【課題を解決するための手段】
【００１１】
本発明は、一方の面に印刷可能な印刷可能面を有し、この印刷可能面とは反対側の面に粘着剤層が形成された基材シートと、前記粘着剤層に剥離可能に重ねられ、前記基材シートと同じ大きさをなしている剥離シートとからなり、前記基材シートには、前記剥離シート側を内側として３つ折り可能とする２本の折り線が形成され、前記基材シートの前記折り線により三つに区分された領域のうち端に位置する１の領域には、その周縁のうち前記折り線を除く少なくとも上下二辺を含む部分について前記基材シートを部分的に除去可能とする周縁部除去用スリット又はミシン目が形成されており、前記粘着剤層の粘着力は、相互に粘着した場合において剥離困難であり、前記基材シートの印刷可能面に粘着した場合においては剥離可能に設定されている構成としたところに特徴を有する。
【００１２】
請求項２の発明は、請求項１に記載のものにおいて、前記基材シートの前記折り線により区分された領域のうち前記周縁部除去用スリット又はミシン目が形成されている領域とは反対側の端に位置する領域には、前記折り線に沿って３つ折り状態としたとき前記周縁部除去用スリット又はミシン目により囲まれる領域の内側に位置する窓形成用スリット又はミシン目が形成されているところに特徴を有する。
【００１３】
請求項３の発明は、請求項１または請求項２に記載のものにおいて、前記剥離シートには、前記折り線により三つに区分された前記１の領域全体と中央の領域の全体または一部の剥離シートを残りの領域の剥離シートから分断する分断スリット又はミシン目が形成されているところに特徴を有する。
【００１４】
請求項４の発明は、請求項１ないし請求項３のいずれかに記載のものにおいて、前記剥離シートには、前記折り線により三つに区分された中央の領域の周縁のうち前記折り線を除く少なくとも上下の二辺を含む部分の前記剥離シートを部分的に除去してその一部を残存可能な残存用スリット又はミシン目が形成されているところに特徴を有する。
【００１５】
請求項５の発明は、請求項１ないし請求項４のいずれかに記載のものにおいて、前記基材シートの一部又は全部には、表示された情報を透かし見ることを防止する地紋が印刷されているところに特徴を有する。
【発明の効果】
【００２１】
＜請求項１の発明＞
請求項１に記載のカード作製用シートを使用して例えば、はがきを作製するには次のようにする。まず、基材シートの三つの領域のうち端に位置する領域であって周縁部除去スリットまたはミシン目が形成されている領域に配信したい情報などを印刷し、基材シートの中央に位置する領域に宛名を印刷する。次いで、剥離シートを剥離して除去することで粘着剤層を露出させ、基材シートに形成された周縁部除去スリットまたはミシン目に沿って基材シートの周縁部を除去する。  次に周縁部が除去された領域と中央の領域とを、折り線に沿って粘着剤層が内側になるように折り重ね、周縁部が除去された領域と中央の領域が１枚になるように貼り付けると、除去された周縁部には中央の領域の粘着剤層の一部が露出する。次いで、周縁部が除去された領域と残りの領域の粘着剤層とを折り線に沿って重ねて貼り付けて１枚のはがきとする。
【００２２】
請求項１に記載の発明によれば、粘着剤層の粘着力は、相互に粘着した場合において剥離困難であり、基材シートの表面に粘着した場合においては剥離可能に設定されているから、１枚のカード（はがき等）とされた際に、その周縁部においては基材シートの粘着剤層と、周縁に露出している中央の領域の粘着剤層の一部とが剥離困難に接着しており、周縁部以外では基材シートの粘着剤層と基材シートとが剥離可能に接着している。
したがって、多種の粘着剤を使い分けて部分的に塗工しなくても、配送時に不用意に開くことがなく、前記周縁部以外のところを切断することで容易に開封できるはがきを作製することができる。その結果、手間もコストもかからないカード作製用シートを提供することができる。
【００２３】
また、基材シート及び剥離シートには、剥離シート側を内側として３つ折り可能とする折り線が形成され、基材シートの折り線により三つに区分されるから、１枚のはがきに組み立てた際に、必ず１の領域が内側に配される。したがって、印刷したい事項を同じ面に片面印刷することが可能であり、印刷工程を簡略化できる。
【００２４】
＜請求項２の発明＞
請求項１に記載のカード作製用シートを用いて例えば１枚のはがきを作製し、そのはがきを郵送などによって配送した後、それを受け取った者が内側に印刷された情報を読むには、重なり合っている３つの領域を分離する必要がある。このとき、３つの領域は周縁部で剥離困難に接着しているから、手で２つの領域を分離するのは困難であり、接着されている周縁部をハサミ等で切り離すことになる。
【００２５】
しかし、請求項２に記載の発明によれば基材シートの折り線により区分された領域のうち周縁部除去用スリット又はミシン目が形成されている領域とは反対側の端に位置する領域には、折り線に沿って３つ折り状態としたとき周縁部除去用スリット又はミシン目により囲まれる領域の内側に位置する窓形成用スリット又はミシン目が形成されているから、剥離困難に接着している周縁部よりも内側の剥離可能な部分に窓形成用スリット又はミシン目が配される。したがって、周縁部よりも内側の領域に設けられた窓形成用スリット又はミシン目を切断すれば容易に内部の情報を読み取ることができる上に、開封後の見た目も美しい。
【００２６】
＜請求項３の発明＞
請求項１または２に記載のカード作製用シートを組み立てる際に、一度に全ての剥離シートを剥がして折り重ねて貼り付ける作業を行うと、後で折り重ねる部分の粘着剤層にほこりが付着したり、粘着剤が手指に付着したりすることがある。
しかし、請求項３に記載の発明によれば、剥離シートには、折り線により三つに区分された１の領域全体と中央の領域の全体または一部の剥離シートを残りの領域の剥離シートから分断する分断スリット又はミシン目が形成されているから、分断スリットに沿って剥離シートを部分的に剥離することができる。したがって、１の領域を中央の領域に重ねて貼り付けた後、これに残りの領域の剥離シートを剥がして貼り付けることができるので、粘着剤層にほこりが付着したり手指に粘着剤が付着することがない。
【００２７】
＜請求項４の発明＞
請求項４に記載の発明によれば、剥離シートには、折り線により三つに区分された中央の領域の周縁のうち折り線を除く少なくとも上下の二辺を含む部分の前記剥離シートを部分的に除去してその一部を残存可能な残存用スリット又はミシン目が形成されているから、カードを作成する際に中央の領域の剥離シートを残存させることが可能である。したがって、薄い基材シートなどを使用した場合であっても、中央の領域の剥離シートが残存することで、内部に記載された情報を透かし見ることを防止することができる。
【００２８】
＜請求項５の発明＞
請求項５に記載の発明によれば、基材シートの一部又は全部には、表示された情報を透かし見ることを防止する地紋が印刷されているから基材シートが薄い場合でも基材シートを透かして情報が読み取られることを確実に防止できる。
【発明を実施するための最良の形態】
【００２９】
＜参考例１＞
以下、参考例１の情報隠蔽はがき作製用のシート１０（以下、はがき作製用シート１０という）について図１ないし図８を参照しながら説明する。本参考例のはがき作製用シート１０は、例えば保険会社から顧客に送付される口座振替案内書を作製する際に使用されるものとして例示する。
【００３０】
このはがき作製用シート１０は、矩形状の基材シート１１と、この基材シート１１に塗布された粘着剤層１２と、この粘着剤層１２に重ねられて基材シート１１と同型同大の剥離シート２０との３層構造からなり、その縦寸法（短片側寸法）は定型のはがきサイズとほぼ同一であり、横寸法（長辺側寸法）は定型のはがきサイズの２倍の大きさである（図１ないし図３を参照）。
【００３１】
また、はがき作製用シート１０には、図１および図２に示すように、短辺方向に沿って全領域を定型はがきのサイズに二等分するように１本のミシン目１３（折り線１３）が形成されている。ミシン目１３は、基材シート１１に剥離シート２０を重ねた状態で形成したものであって両シートを貫通して形成されており、このミシン目１３を中心にして基材シート１１および剥離シート２０を半分に折ることができる。本参考例においては、このミシン目１３は剥離シート２０の半面を除去可能とする半面除去用ミシン目２１を兼ねている。
【００３２】
基材シート１１は例えば紙製であって、その厚みは例えば約６０μｍで、一方の面１１Ａは周知の表面加工が施されて例えばレーザプリンタやインクジェットプリンタ等の一般的なプリンタによって印刷可能な印刷可能面１１Ａとされており、それとは反対側の裏面１１Ｂには粘着剤（後述する）が全面に塗布されている。
【００３３】
ミシン目１３によって区分された同型同大の２つの領域１４，１５のうち図１の右側の領域は、宛名などが印刷されている宛名印刷領域１４とされ、具体的には、「郵便はがき」の文字、切手貼付枠及び「親展」の文字が予め印刷されているが、ユーザが印字するまではその他の部分は白紙である。
【００３４】
図１の左側の領域は、剥離シート２０の情報表示領域２２（後述する）に重ねられその情報を隠蔽する隠蔽領域１５とされる。そして、この隠蔽領域１５にはミシン目１３を除く３つの周縁の端縁から約１ｃｍ内側にマイクロミシンによる窓形成用ミシン目１６が形成されている。この窓形成用ミシン目１６とミシン目１３とで取り囲まれた略矩形状の部分は、基材シート１１を透かして内部を見ることを防止するための地紋が印刷された隠蔽部１７とされる。隠蔽部１７の下端付近には「ここから剥がして内容をご確認ください」の文字が予め印刷されている。また、隠蔽部１７には、その左下の角を略三角形に切り取り可能とするスリット１８が窓形成用ミシン目１６につながるように入れられ、このスリット１８に沿って略三角形の部分を切り取ることで、隠蔽部１７を情報表示領域２２から剥離する際のきっかけとなる摘み部１９が形成される。
【００３５】
基材シート１１の裏側に位置する剥離シート２０は、粘着剤層１２側の面２０Ｂにシリコン処理等の粘着性を低下させる処理が施されており、粘着剤層１２から容易に剥がし取ることができる。また、粘着剤層１２側と反対側の面２０Ａは、周知の表面加工が施されて例えばレーザプリンタやインクジェットプリンタ等の一般的なプリンタによって印刷可能な印刷可能面２０Ａとなっている。
【００３６】
剥離シート２０の印刷可能面２０Ａのうち、図２に示す左側の領域（基材シート１１の宛名印刷領域１４の裏側に相当する）は、ユーザが顧客などに配信したい情報が印刷された情報表示領域２２とされ、、右側の領域（基材シート１１の隠蔽領域１５の裏側に相当する）は、はがき作製の際に除去される除去領域２３とされる。なお、剥離シート２０の印刷可能面２０Ａはユーザが顧客などに配信したい情報や、宛名と情報を照合するための情報を印字するまでは白紙である。
【００３７】
情報表示領域２２には、情報が印刷された略矩形状の部分を取り囲むようにループ状の周縁部除去用スリット２４が形成されている。本参考例において情報表示領域２２の外周縁とこの周縁部除去用スリット２４との間の剥離シート２０は、はがきを作製する際に除去されて、周縁部除去用スリット２４に囲まれた部分の剥離シート２０は残される。
【００３８】
この周縁部除去用スリット２４のうち右辺２４Ａのスリットを除く三辺は、ミシン目１３に沿って剥離シート２０が内側になるようにはがき作製用シート１０を折り曲げた際に、基材シート１１の隠蔽領域１５に形成された窓形成用ミシン目１６により囲まれた領域の外側に位置するように設けられている。すなわち、ミシン目１３に沿って２つ折り状態としたときに窓形成用ミシン目１６は、周縁部除去用スリット２４により囲まれる領域の内側に位置する。
【００３９】
次に、基材シート１１の印刷可能面１１Ａと反対側に形成されている粘着剤層１２について説明する。粘着剤層１２の粘着力は基材シート１１の裏面１１Ｂとは剥離困難に設定され、粘着剤層１２が相互に粘着した場合において剥離困難であり、剥離シート２０の印刷可能面２０Ａや基材シート１１の印刷可能面１１Ａに粘着した場合においては剥離可能に設定されている。
【００４０】
本参考例に使用される粘着剤としては、剥離可能な微粘着性（弱粘着性）のものとして市販されているものなどが使用される。また、本参考例においては、内部に記載された情報を透かし見るのを防止可能に着色された粘着剤を使用することもできる。具体的には、微粒子を含む粘着剤や、硬化剤が配合された粘着剤などが使用され、特に本発明においては、アクリル系共重合体からなる微粒子を含む水性エマルション型のアクリル系粘着剤が好適に使用される。
【００４１】
本参考例に好適に使用される微粒子を含む粘着剤としては、上記の他にたとえばカオリン、炭化カルシウム、クレー等の無機微粒子や、ポリエチレン樹脂、ポリプロピレン樹脂、ポリスチレン樹脂等の合成樹脂からなる微粒子を含む、天然ゴムなどのゴム系の粘着剤、アクリル系、ＳＢＲ系などの合成樹脂をベースとした粘着剤などがあげられる。
【００４２】
本参考例のはがき作製用シート１０は以上の構成であり、次にその使用方法について説明する。
はがき作製用シート１０を使用する場合には、ユーザが基材シート１１の印刷可能面１１Ａの所定領域に顧客の宛名などを印刷するとともに、剥離シート２０の印刷可能面２０Ａの所定領域には顧客に配信したり通知する情報と、基材シート１１に印刷された宛名と情報を照合するための情報を印刷する。この際、基材シート１１と剥離シート２０とは同型同大であって段差のない一枚の紙として取り扱うことができるから、プリンタ印刷特性は良好である。
【００４３】
印刷後、図４および図５に示すように、情報表示領域２２のうち矩形状の情報が表示された部分を残存させるように、剥離シート２０のうち、除去領域２３と、情報表示領域２２の周縁部を粘着剤層１２から剥がして除去する。すると、ミシン目１３より右側の粘着剤層１２と情報表示領域２２の周縁部の粘着剤層１２（図４における点描部分）が露出する。次いで、ミシン目１３を中心に粘着剤層１２側が内側となるように谷折りし、隠蔽領域１５が情報表示領域２２に重なるように貼り合わせると図７に示すように、一枚の定型サイズのはがきが完成する。
【００４４】
このとき、図６に示すように情報表示領域２２に重ねられる基材シート１１は、周縁部においては粘着剤層１２同士が剥離困難に粘着し、周縁部以外であって剥離シート２０が残存している部分においては剥離可能に接着している。すなわち、周縁部除去用スリット２４よりも外側では剥離困難に接着し、周縁部除去用スリット２４よりも内側では剥離可能に接着している。このように粘着剤層１２が相互に粘着すると剥離困難に接着するのは、同じ成分の粘着剤層１２の粘着剤同士が混ざり合い強い接着力が発現するのが一因ではないかと推測される。
【００４５】
上記のようにして作製されたはがきを投函して郵送すれば、配信情報は秘密状態のまま顧客などに郵送される。そして、このはがきを受け取った顧客は、隠蔽部１７に印刷されている「ここから剥がして内容をご確認下さい」という取り扱い指示に従い（図８参照）、隠蔽部１７の左下角部を切り取ることで形成された摘み部１９をつまんで窓形成用ミシン目１６に沿って切断する。窓形成用ミシン目１６は周縁部除去用スリット２４により囲まれる領域の内側（情報表示領域２２と隠蔽領域１５とが剥離可能に粘着している部分）に形成されているから、隠蔽部１７を情報表示領域２２から容易に剥離し開封することができる。
【００４６】
以上のように、本参考例によれば、多種の粘着剤を使い分けて部分的に塗工しなくても、配送時に不用意に開くことがないから、手間もコストもかからないはがき作製用シート１０を提供することができる。
【００４７】
また、基材シート１１には、剥離困難に接着している周縁部よりも内側の剥離可能な部分に窓形成用ミシン目１６が設けられているから、窓形成用ミシン目１６を切断することで情報を読み取ることができる上に、開封後の見た目も美しい。
【００４８】
さらに基材シート１１には、表示された情報を透かし見ることを防止する地紋が印刷されているから基材シート１１が薄い場合でも基材シートを透かして情報が読み取られることを確実に防止できる。
【００４９】
＜参考例２＞
図９は参考例２のはがき作製用シート１０を示す。参考例１と同一の構成については同一符号を付して重複する説明を省略し、異なるところについてのみ説明する。
【００５０】
本参考例においては、基材シート１１の宛名が印刷されている領域（宛名印刷領域１４）には、基材シート１１の隠蔽部１７に設けられた窓形成用ミシン目１６と同様の開封用ミシン目１６が、ミシン目１３に対して対称の位置に形成されている点で参考例１と相違する。
【００５１】
次に使用方法について説明する。本参考例のはがき作製用シート１０を参考例１と同様の手順で１枚のはがきとすると、基材シート１１の２つの領域１４，１５に形成された開封用ミシン目１６が重なり合う位置に配される。
【００５２】
このはがきが郵送されて受け取った顧客が、重なり合った開封用ミシン目１６に沿って切断すると、剥離困難に接着された部分が切り離される。開封用のミシン目１６は剥離可能に粘着している部分にもうけられているから、重なり合った２つの領域を簡単に剥がすことができる。
【００５３】
本参考例によれば、２つ折り状態の基材シートのうちの粘着剤層相互が粘着している周縁部を切り離すことができてい容易に開封できる上に、開封の履歴が明確に残るので不正開封を有効に防ぐことができる。
【００５４】
＜実施形態１＞
図１０ないし図２２は実施形態１のはがき作製用シート１０を示す。参考例１と同一の構成については同一符号を付して重複する説明を省略し、異なるところについてのみ説明する。なお、図１３ないし図１６の点描部分は粘着剤層１２が露出している状態を示す。
【００５５】
実施形態１のはがき作製用シートは、参考例１よりも大きいサイズとなっており、その縦寸法（短辺側寸法）は定型のはがきサイズとほぼ同一であり、横寸法（長辺側寸法）は定型のはがきサイズの３倍の大きさである。
【００５６】
本実施形態において、基材シート１１には、図１０に示すように、短辺方向に沿って全領域を定型はがきのサイズに三等分するように２本のミシン目(折り線）１３，１３が形成されている。
【００５７】
この２本のミシン目１３，１３によって区分された図１０における左端の領域は隠蔽部１７が設けられた隠蔽領域１５とされ、中央の領域は宛名が印刷された宛名印刷領域１４とされ、右端の領域は顧客に配信したい情報などが印刷された情報表示領域２２とされる。
【００５８】
基材シート１１の情報表示領域２２には、その上下の端縁に対して平行なスリット２４が２本設けられ、このスリット２４は、情報表示領域２２の上下の端縁部分を帯状に除去可能な周縁部除去用スリット２４とされる。
【００５９】
剥離シート２０の中央の領域２０Ｃ（宛名印刷領域１４の裏側）には、図１１に示すように、右側のミシン目１３に対して平行に数ｍｍ離れた位置に図１１の左端の領域２０Ｆと中央の領域２０Ｃの一部を残りの領域から分断する分断スリット２５Ａが形成されている。また、中央の領域２０Ｃには、上下と左側の周縁よりも数ｍｍ内側に剥離シート２０の一部を残存可能な残存用スリット２５が形成されている。この残存用スリット２５のうち上下の周縁に沿って形成されているものは、ミシン目１３に沿って情報表示領域２２を宛名記載領域１４に折り重ねた際に基材シートに形成された周縁部除去用スリット２４と重なり合うような位置に形成され、その右端で前記分断スリット２５Ａとつながっている。この残存用スリット２５と分断スリット２５Ａに取り囲まれた矩形状をなす領域２０Ｇは、はがき作製の際に残存可能となっており、内部に記載された情報を透かし見るのを防止する遮蔽領域２０Ｇとして機能する。
【００６０】
次に使用方法について説明する。参考例１と同様に、まずユーザが基材シート１１の印刷可能面１１Ａの所定位置に、宛名および情報を印刷する。そして、はがき作製用シート１０を反転させ、図１３に示すように、剥離シート２０のうち上下の端縁を除いた遮蔽領域２０Ｇと右端の領域２０Ｅを残すように、残存用スリット２５と分断スリット２５Ａに沿って、左側の領域２０Ｆと中央の領域２０Ｃの上下の端縁部分の剥離シート２０（情報表示領域２２の裏側）を粘着剤層１２から剥がし取り、粘着剤層１２を露出させる。すると図１４に示すように情報表示領域２２の上下の端縁部分が帯状に切り取られ、宛名印刷領域１４の裏側には剥離シートの遮蔽領域２０Ｇが残された状態になる。
【００６１】
次に図１５の左側のミシン目１３を中心にして粘着剤層１２が内側になるように谷折りし（図１５の白い矢印の方向に折って）、情報表示領域２２と宛名印刷領域１４が１枚になるように重ねて貼り合わせた後、右端の領域２０Ｅ（隠蔽領域１５の裏側）の剥離シート２０を剥がして粘着剤層１２を露出させる（図１６参照）。このとき、宛名印刷領域１４の裏に残存している剥離シート２０の遮蔽領域２０Ｇに情報表示領域２２の粘着剤層１２が貼り付けられているので全体として剥離可能に接着し（図１７参照）、情報表示領域２２の切り取られた上下の端縁部分から、宛名印刷領域１４の裏面の粘着剤層１２が帯状に露出している（図１８参照）。そして、宛名印刷領域１４の裏側に残存している剥離シート２０の遮蔽領域２０Ｇの上下辺と情報表示領域２２の上下辺とは重なり合っている。
【００６２】
次に、隠蔽領域１５の裏側に露出している粘着剤層１２を情報表示領域２２の印刷可能面１１Ａに重ね合わせて貼り合わせると１枚のはがきとなる（図１９参照）。このとき隠蔽領域１５の裏側の粘着剤層１２は、上下の端縁においては宛名印刷領域１４の裏面の粘着剤層１２と粘着しているので剥離困難に強く接着し、上下の端縁以外においては情報表示領域２２の印刷可能面１１Ａと粘着しているので剥離可能に接着している。
そして、これを開封する作業は、参考例１と同様に行われる。
【００６３】
本実施形態には、参考例１のところで説明した効果に加えて、以下の効果がある。本実施形態によれば、基材シート１１をミシン目１３，１３によって区分することで３つの領域が設けられているから、本実施形態のはがき作製シート１０を１枚のはがきに組み立てた際に、必ず１の領域が内側に配される。したがって、片面印刷が可能であり、印刷時の手間を省くことができる。
【００６４】
また、剥離シート２０の左端の領域２０Ｆと中央の領域２０Ｃの一部を残りの領域から分断する分断スリット２５Ａが形成されているから、情報表示領域２２と宛名印刷領域１４とを粘着剤層１２を内側にして貼り付けた後、残りの領域の剥離シートを剥がして隠蔽領域１５を貼り付けることができるので、粘着剤層１２にほこりが付着したり手指に粘着剤が付着することがない。
【００６５】
さらに、剥離シート２０の中央の領域２０Ｃには残存用スリット２５が形成されているから、剥離シート２０の一部を残存させることで、薄い基材シートなどを使用した場合であっても、内部に記載された情報を裏側から透かし見ることを防止することができる。
【００６６】
＜他の実施形態＞
本発明は上記記述及び図面によって説明した実施形態に限定されるものではなく、例えば次のような実施形態も本発明の技術的範囲に含まれる。
（１）上記参考例１および２においては周縁部除去用スリットとして情報表示領域には、情報が印刷された略矩形状の部分を取り囲む周縁部除去用スリット２４が形成されているが、他方の領域の周縁のうち少なくとも折り線を除いた三辺について剥離シートを部分的に除去可能とするものであればよく、例えば、折り線を除く三辺に対してその側縁部分を帯状に除去可能なものも参考例として挙げられる。また、周縁部除去用スリットではなく周縁部除去用ミシン目である構成も参考例としてあげられる。
【００６７】
（２）上記実施形態１においては、基材シートの情報表示領域には、その上下の端縁部分を帯状に除去可能な周縁部除去用スリットが設けられているが、上下の端縁のみならず右側縁が除去可能なスリットが設けられていてもよい。また、スリットではなくミシン目であってもよい。
【００６８】
（３）上記実施形態においては隠蔽部の左下の角を略三角形に切り取ることで開封の際のきっかけとなる摘み部を形成するスリットが隠蔽部に設けられているが、摘み部を備えていないものも本発明に含まれる。
【００６９】
（４）参考例１および実施形態１においては隠蔽領域に窓形成用ミシン目を備えたが窓形成用のスリットであってもよい。
【００７０】
（５）上記実施形態においては隠蔽領域に地紋が印刷されたものを用いたが、地紋が印刷されていないものも、本発明に含まれる。
【００７１】
（６）上記実施形態においては、情報隠蔽はがきを作製するシートに適用したが、はがきに限らず、手渡しするカードに適用することもできるし、宛名などに代えて他の必要事項を印刷したり、手書きしてもよい。
【００７２】
（７）上記参考例１においては、カードを２領域に区分する折り線としてミシン目が設けられ、このミシン目が剥離シートの半面を除去可能とする半面除去用ミシン目を兼ねているが、これらを別々に設けた構成も参考例としてあげられる。
【００７３】
（８）上記実施形態１においては、遮蔽領域の剥離シートを残存させてはがきを作製したが、はがきを作製する際に剥離シートを残存させずに作製してもよい。また、剥離シートとして分断スリットと残存用スリットとを形成したものを用いたが、これらを全く設けていないものであってもよいし、分断スリットのみを設けたものであってもよい。
【００７４】
（９）上記参考例１、２では剥離シートの右側領域（除去領域）は白紙であったが、この部分に基材シートに印刷された宛名を照合可能な情報を印刷して、剥離シートの情報領域の情報の内容と基材シートに印刷された宛名の照合を可能とした構成が参考例としてあげられる。そのようにすることで、宛名と情報の一致を確認する際に、カード作製用シートの両面を見る必要がなくなり、容易に宛名と情報の不一致を防ぐことができる。
【図面の簡単な説明】
【００７５】
【図１】参考例１のはがき作製用シートを示す表面図
【図２】その裏面図
【図３】その断面図
【図４】はがきを作製する過程を示す斜視図
【図５】剥離された剥離シートを示す表面図
【図６】完成したはがきの断面図
【図７】完成したはがきの裏面図
【図８】開封のしかたを説明する裏面図
【図９】参考例２のはがき作製用シートを示す表面図
【図１０】実施形態１のはがき作製用シートを示す表面図
【図１１】その裏面図
【図１２】図１０のＡ−Ａ線で切断した断面図
【図１３】はがきを作製する過程を示す斜視図
【図１４】はがきを作製する過程を示す裏面図
【図１５】はがきを作製する過程を示す斜視図
【図１６】はがきを作製する過程を示す裏面図
【図１７】図１６のＢ−Ｂで切断した断面図
【図１８】図１６のＣ−Ｃで切断した断面図
【図１９】完成したはがきの裏面図
【図２０】図１９のＥ−Ｅで切断した断面図
【図２１】図１９のＦ−Ｆで切断した断面図
【図２２】開封のしかたを説明する裏面図
【符号の説明】
【００７６】
１０…はがき作製用シート
１１…基材シート
１１Ａ…(基材シートの）印刷可能面
１２…粘着剤層
１３…ミシン目（折り線）
１６…窓形成用ミシン目
２０…剥離シート
２１…半面除去用ミシン目
２０Ａ…（剥離シートの）印刷可能面
２４…周縁部除去用スリット
【図１】
0004826895.tif 000002
【図２】
0004826895.tif 000003
【図３】
0004826895.tif 000004
【図４】
0004826895.tif 000005
【図５】
0004826895.tif 000006
【図６】
0004826895.tif 000007
【図７】
0004826895.tif 000008
【図８】
0004826895.tif 000009
【図９】
0004826895.tif 000010
【図１０】
0004826895.tif 000011
【図１１】
0004826895.tif 000012
【図１２】
0004826895.tif 000013
【図１３】
0004826895.tif 000014
【図１４】
0004826895.tif 000015
【図１５】
0004826895.tif 000016
【図１６】
0004826895.tif 000017
【図１７】
0004826895.tif 000018
【図１８】
0004826895.tif 000019
【図１９】
0004826895.tif 000020
【図２０】
0004826895.tif 000021
【図２１】
0004826895.tif 000022
【図２２】
0004826895.tif 000023